(57)【要約】【課題】  ファイナライズ処理の失敗を未然に防ぐ。【解決手段】  ファイナライズ処理の操作ボタン６６をバッテリ４０で隠れる位置に配置する。外部電力使用状態で、バッテリ４０を外したときにのみ、ボタン６６を操作できる。【選択図】  図１
2007059962.tif 000002
【特許請求の範囲】
【請求項１】
撮像手段と、
前記撮像手段により撮影された画像データを記録媒体に記録する記録手段と、
バッテリまたは外部電源から電力供給を受ける電源入力部と、
前記記録媒体のファイナライズ処理を指示するボタン
とを具備し、
前記電源入力部に対する前記外部電源からの電力供給状態で前記ボタンが有効になることを特徴とする撮像装置。
【請求項２】
前記ボタンは、前記バッテリ装着時に操作不能な状態に隠れる位置に配置されることを特徴とする請求項１に記載の撮像装置。
【請求項３】
前記記録媒体が、記録可能光ディスクからなることを特徴とする請求項１又は２に記載の撮像装置。
【発明の詳細な説明】
【技術分野】
【０００１】
本発明は、撮像装置に関し、より具体的には、ファイナライズ処理を必要とする記録媒体を使用する撮像装置に関する。
【背景技術】
【０００２】
近年、記録メディアは、磁気テープから記録可能光ディスクに代わり、種々の対応の記録可能光ディスクを用いたビデオカメラが登場している。記録可能光ディスクには、追記型のＤＶＤ−Ｒと、書き換え可能なＤＶＤ−ＲＷ、ＤＶＤ−ＲＡＭ及びＤＶＤ＋ＲＷとがある。このような記録可能光ディスクの規格間には完全な互換性はない。一般に、上記の何れの規格の光ディスクであっても、対応するビデオ再生装置で再生する場合には、映像をテレビ画面上に再生できる。
【０００３】
他方、映画などを録画して一般に販売される読み出し専用光ディスクの規格にＤＶＤ−Ｖｉｄｅｏがある。いわゆるＤＶＤ再生装置は、このＤＶＤＶｉｄｅｏを再生し、ビデオ出力する装置である。一般に、ＤＶＤ−Ｖｉｄｅｏ再生装置は、前記ＤＶＤ−ＲやＤＶＤ−ＲＷなどは再生できないが、これらの記録可能光ディスクであっても、ファイナライズ処理を行うことで、ＤＶＤ−Ｖｉｄｅｏとの互換性を持たせることができ、ＤＶＤ−Ｖｉｄｅｏ再生装置で再生可能となる。
【０００４】
そのため、ＤＶＤ−ＲＷなどの記録可能光ディスクを記録媒体とするビデオカメラは、ＤＶＤ−Ｖｉｄｅｏ再生装置で再生可能な光ディスクにするためのファイナライズ機能を具備するのが普通である（特許文献１参照）。
【０００５】
一方、ビデオカメラのような携帯機器は、充電式バッテリを主電源とするが、補助的にＡＣアダプタも利用可能である。バッテリ駆動中では、電池の消耗を少なくする必要がある。
【特許文献１】特開２００３−０８７７０８号公報
【発明の開示】
【発明が解決しようとする課題】
【０００６】
一般に、ディスクの記録時間が短いと、ファイナライズ処理に要する時間が長くなる。ファイナライズ処理に要する時間が長くなればなるほど、ビデオカメラの電力が消費され、電力不足になることが考えられる。
【０００７】
また、ファイナライズ処理は、途中でキャンセルできない。従って、バッテリ駆動中にユーザが誤ってファイナライズ処理を始動してしまうと、ファイナライズ処理中にバッテリが消耗してしまい、ファイナライズ処理を失敗することがある。
【０００８】
本発明は、バッテリ駆動中に誤ってファイナライズ処理を始動してしまうことのない撮像装置を提示することを目的とする。
【課題を解決するための手段】
【０００９】
上記の目的を達成するために、本発明に係る撮像装置は、撮像手段と、前記撮像手段により撮影された画像データを記録媒体に記録する記録手段と、バッテリまたは外部電源から電力供給を受ける電源入力部と、前記記録媒体のファイナライズ処理を指示するボタンとを具備し、前記電源入力部に対する前記外部電源からの電力供給状態で前記ボタンが有効になることを特徴とする。
【発明の効果】
【００１０】
本発明によれば、外部電源からの電力供給状態で前記ボタンを有効にしたので、バッテリ装着時にファイナライズ処理を実行できなくなり、電力不足による失敗を防ぐことができる。安定した電力供給状態でファイナライズ処理を実行するので、電源変動による失敗の可能性も低くなる。
【発明を実施するための最良の形態】
【００１１】
以下、図面を参照して、本発明の実施例を詳細に説明する。
【実施例１】
【００１２】
図１は、本発明の一実施例に係るビデオカメラ１０の概略構成ブロック図である。ビデオカメラ１０は、デジタルビデオカメラ又はビデオカメラ等である。ビデオカメラ１０は、撮像部１２、信号処理部１４、メイン制御部１６、通信制御部１８、ＵＳＢコネクタ２０、内部メモリ２２、入力操作制御部２４、操作部２６、表示制御部２８、表示部３０、記録再生制御部３２、ディスク３４、バス３６、電源制御部３８、バッテリ４０及びＤＣ入力部４２を具備する。
【００１３】
撮像部１２は、被写体を撮影し、動画像データを生成する。信号処理部１４は、記録時には撮像部１２からの動画像データを符号化して圧縮動画像データを記録再生制御部３２に供給し、再生時には、記録再生制御部３２からの圧縮動画像データを伸長して表示制御部２８に供給する。
【００１４】
メイン制御部１６は、バス３４を介して各構成要素を制御する。通信制御部１８は、ＵＳＢコネクタ２０に接続する外部電子機器の記憶領域をマスストレージ規格に従い外部記憶装置として利用可能である。内部メモリ２２は、メイン制御部１６で用いる各種のソフトウェア等を記憶する。
【００１５】
入力操作制御部２４は、操作部２６のボタン／キーの操作を判別する。ユーザが操作部２６で入力を行うと、入力操作制御部２４は、どのボタン等が操作されたかをメイン制御部１６に通知する。操作部２６はボタン／キー等から構成されており、後述するファイナライズボタン６６を具備する。
【００１６】
表示制御部２８は表示部３０に表示すべき映像を生成し、表示部３０の動作を制御する。記録再生制御部３２は、ディスク３４の記録と再生を制御する。また、ディスク３４から再生されたデータは、内部メモリ２２に転送される。必要により、ディスク３４から再生されたデータは、通信制御部１８を通じて外部に送信され、また、表示制御部２８を通じて表示部３０に転送される。ディスク３４は、ＤＶＤ−Ｒ又はＤＶＤ−ＲＷ等の記録媒体からなる。
【００１７】
電源制御部３８は、バッテリ４０又はＤＣ入力部４２からの電力を各部に供給する。ＤＣ入力部４２は、後述の如く、プラグ６４により供給された家庭用コンセントからの電力を入力する。
【００１８】
次に、図２及び図３を用いて、電力供給を説明する。図２は、本実施例の外観斜視図であり、バッテリの装着状態を示す。図３は、ＤＣ入力を使用する状態の外観斜視図を示す。
【００１９】
ＤＶＤディスク装填部６０には、ディスク３４が装填される。スイッチ６２は、映像の録画開始／録画停止を指示する。プラグ６４を電源コンセントに挿すと、ビデオカメラ１０は商用電源で駆動される。ボタン６６は、ディスク３４のファイナライズ処理を指示するのに使用される。また、図３から分かるように、ボタン６６は、バッテリ４０を装着した状態で隠れる位置に配置され、バッテリ４０を装着した状態では、ユーザはボタン６６を操作できない。すなわち、バッテリ４０の装着時には、ユーザはディスク３４のファイナライズ処理を指示できない。
【００２０】
一方、バッテリ４０を取り外すと、ボタン６６が押せる状態になる。すなわち、プラグ６４を電源コンセントに差し、ＤＣ入力部４２を通じてビデオカメラ１０に電力が供給される状態で、ユーザは、ボタン６６によりファイナライズ処理を指示可能になり、ファイナライズ処理を実行可能になる。
【００２１】
図４は、ボタン６６とその周囲の部材の分解斜視図を示し、図５は、組立状態の側面図を示す。
【００２２】
バッテリ収納部７０には孔７０ａ〜７０ｃが空いている。孔７０ａは３個空いており、それぞれに接片７２が嵌合する。接片７２はビデオカメラ１０内の電源回路に電気的に接続する。孔７０ｂにはボタン６６が嵌合する。孔７０ｃにはバッテリ脱着ノブ７４の解除部７４ｂが遊嵌する。また、孔７０ａに嵌合する接片７２は、バッテリ４０の背面の電極部と電気的に接続する。これにより、バッテリ４０の装着時にバッテリ４０の電力がビデオカメラ１０の各部に供給される。
【００２３】
バッテリ脱着ノブ７４は、押さえ部７４ａと解除部７４ｂを備えている。押さえ部７４ａは、装着されたバッテリ４０をその位置に保持する。バネ７６は、バッテリ脱着ノブ７４をビデオカメラ１０の外方向に付勢する。バネ７６の他端に当接する押さえ７８は、図示しない筐体に固定されている。
【００２４】
バッテリ収納部７０にバッテリ４０を装着する場合は、バッテリ４０が押さえ部７４ａを押すようにして、バッテリ４０をバッテリ収納部７０に装着する。するっと、バッテリ脱着部ノブ７４の押さえ部７４ａが、バッテリ０をその位置に係止する。バッテリ収納部７０にバッテリ４０が装着された状態では、バネ７６の付勢力により押さえ部７４ａ及び解除部７４ｂが元の位置に戻る。また、バッテリ４０のスラスト方向の押さえ機構は図示していないが、従来からレール状の溝に嵌合させて支持する構造が用いられている。
【００２５】
ユーザが解除部７４ｂを押すことで、バッテリ収納部７０からバッテリ４０を取り外すことができる。即ち、解除部７４ｂが押されると、バネ７６の付勢力に抗してバッテリ脱着ノブ７４全体がビデオカメラ１０の内部に入り、押さえ部７４ａによるバッテリ４０の係止が外れる。これにより、バッテリ４０をバッテリ収納部７０から取り出すことができる。バッテリ収納部７０からバッテリ４０が取り出されると、バネ７６によりバッテリ脱着ノブ７４がビデオカメラ１０の外方向に付勢され、押さえ部７４ａ及び解除部７４ｂがバッテリ装着時と同じ位置に戻る。
【００２６】
ファイナライズスイッチ８０は基板８２上に実装されている。また、ファイナライズスイッチ８０は、ボタン６６のすぐ後ろに配置され、ボタン６６が押されるとファイナライズスイッチ８０が押される仕組みに成っている。ファイナライズスイッチ８０がオンすると、メイン制御部１６にファイナライズ処理を開始する信号が伝達される。
【００２７】
図４から明らかなように、バッテリ４０を装着すると、ボタン６６は、バッテリ４０の背面に隠れるので、外部からボタン６６が押せない。すなわち、バッテリ４０がボタン６６を隠すので、バッテリ４０の装着時には、ボタン６６は操作できない。
【００２８】
このようにして、ビデオカメラ１０にバッテリ４０を装着した状態では、ファイナライズ処理の操作ボタン６６が隠れるように配置したので、ファイナライズ処理がされることなく、ユーザの誤った操作をなくすことができる。
【００２９】
また、家庭用コンセントから電力供給を受けている状態では、ボタン６６が押せるので、ファイナライズ処理が開始でき、安定した電力供給の下で、長時間かかる可能性のあるファイナライズ処理の安定実行を確保できる。
【００３０】
ボタン６６の配置でバッテリ動作中でのファイナライズ処理を実行不可にしたが、外部電源かバッテリかを検出する手段を設け，外部電源の場合にのみボタン６６の操作を有効にしてもよい。
【図面の簡単な説明】
【００３１】
【図１】本発明の一実施例のビデオカメラの概略構成ブロック図である。
【図２】本実施例の外観斜視図である。
【図３】ＤＣ入力使用時の外観斜視図である。
【図４】ファイナライズ処理操作スイッチの周辺の分解斜視図である。
【図５】ファイナライズ処理操作スイッチの周辺の側面図である。
【符号の説明】
【００３２】
１０  ビデオカメラ
１２  撮像部
１４  信号処理部
１６  メイン制御部
１８  通信制御部
２０  コネクタ
２２  内部メモリ
２４  入力操作制御部
２６  操作部
２８  表示制御部
３０  表示部
３２  記録再生制御部
３４  ディスク
３６  バス
３８  電源制御部
４０  バッテリ
４２  ＤＣ入力部
６０  ＤＶＤディスク装填部
６２  スイッチ
６４  プラグ
６６  ボタン
７０  バッテリ収納部
７０ａ，７０ｂ，７０ｃ  孔
７２  接片
７４  バッテリ着脱ノブ
７４ａ  押さえ部
７４ｂ  解除部
７６  バネ
７８  押さえ
８０  ファイナライズスイッチ
８２  基板
【図１】
2007059962.tif 000003
【図２】
2007059962.tif 000004
【図３】
2007059962.tif 000005
【図４】
2007059962.tif 000006
【図５】
2007059962.tif 000007